(57)【要約】【課題】薬液タンク内の薬液を撹拌して、薬液タンク内の水中から薬剤が分離して薬液タンク内底部に沈殿するのを防ぐ手段が備えられた、薬液噴霧機を提供する。【解決手段】薬液タンク１０内にサブノズル６０を備えて、そのサブノズル６０と薬液送給ホース４０とをサブホース７０を介して連結する。そして、薬液送給ホース４０内を通して薬液噴射ノズル管５０から噴射させる薬液の一部を、サブホース７０内を通して、サブノズル６０から薬液タンク１０内に貯留された薬液２０中に噴射させて、そのサブノズル６０から噴射させる薬液により薬液タンク１０内の薬液２０を撹拌する。【選択図】図１
2007075692.tif 000002
【特許請求の範囲】
【請求項１】
薬液タンク内に貯留された薬液を、薬液圧送ポンプにより、薬液送給ホース内を通して、該ホース先端に連結された薬液噴射ノズル管から噴射させる噴霧機において、
前記薬液タンク内にサブノズルを備えて、そのサブノズルと前記薬液送給ホースとをサブホースを介して連結し、前記薬液送給ホース内を通して薬液噴射ノズル管から噴射させる薬液の一部を、前記サブホース内を通して、サブノズルから薬液タンク内に貯留された薬液中に噴射させて、そのサブノズルから噴射させる薬液により薬液タンク内の薬液を撹拌する構造としたことを特徴とする薬液噴霧機。
【請求項２】
前記サブノズルから噴射させる薬液の量を調整する調整弁を備えたことを特徴とする請求項１記載の薬液噴霧機。
【請求項３】
前記薬液タンク内に備えられたサブノズルを、着脱可能な構造としたことを特徴とする請求項１記載の薬液噴霧機。
【発明の詳細な説明】
【技術分野】
【０００１】
本発明は、栽培中の植物やその周辺の圃場等に消毒用、除草用、肥料用等の薬液を噴霧する薬液噴霧機に関する。
【背景技術】
【０００２】
上記噴霧機は、プラスチック製等の大型の薬液タンクを備えていて、その薬液タンク内に貯留された薬液を、薬液圧送ポンプにより、薬液送給ホース内を通して、該ホース先端に連結された薬液噴射ノズル管から、植物やその周辺の圃場等に噴霧する構造をしている。
この噴霧機の使用に際しては、その大型の薬液タンク内に水を多量に投入して、その水に薬剤を添加した後、その薬剤が添加された水を、噴霧器付属の長尺の薬液噴射ノズル管を撹拌棒に用いる等して、撹拌している。そして、その水中に薬剤を均一に溶解させている。次いで、薬液圧送ポンプを作動させて、その薬剤を均一に溶解させた薬液タンク内の水、即ち薬液を、薬液送給ホース内を通して、薬液噴射ノズル管先端から噴射させている。
【０００３】
ところで、上記噴霧機には、肩掛け式や、背負い式や、車輪の付いた手押し式や、動力車輪の付いた自走式のものなどがあるが、そのいずれのタイプの噴霧機においても、その薬液タンク内に貯留された薬液を、薬液送給ホース内を通して、薬液噴射ノズル管先端から噴射させる構造をしていて、薬液の散布作業を行う間は、薬液タンクが、激しく上下、左右に揺すられる等されずに、肩に動かぬように安定させて掛けられたり、背中に動かぬように安定させて背負われたり、台車等に乗せられて圃場上方の一定高さ位置に安定させて支持し続けられたりする構造をしている。
そのために、その薬液タンク内の水中に溶解させた薬剤が、薬液の散布中に、薬液から次第に分離して、薬液タンク内底部に沈殿し、その薬液タンク内の薬液中の薬剤の濃度が低下してしまった。そして、その薬液タンク内の薬液を植物等に噴霧した際の、薬液の効能や作用が落ちてしまった。
【特許文献１】特開２００４−２６１７７０号公報
【発明の開示】
【発明が解決しようとする課題】
【０００４】
このような難点を解消するためには、薬液タンク内に撹拌羽根車を設けて、その撹拌羽根車を薬液タンク内で回転させ、その撹拌羽根車により、薬液タンク内の薬液を撹拌し続ける方法が、考えられる。
しかしながら、そのようにした場合には、薬液タンク内に複雑な構造をした撹拌羽根車を備えたり、その羽根車を回転させる動力源を新たに噴霧機に備えたりする必要があって、そのために、噴霧機のコストが大幅にアップしてしまう。また、その撹拌羽根車に薬液から分離して付着する薬剤等を時々取り除く作業が必要となって、その撹拌羽根車のメンテナンスに多大な手数と時間が掛ることになる。
【０００５】
本発明は、このような課題を解消しようとするもので、薬液タンク内の水中から薬剤が分離して薬液タンク内底部に沈殿するのを防ぐための手段であって、その構造が簡単で、噴霧機のコストをアップさせることのない、メンテナンスの容易な、薬液タンク内の薬液を撹拌するための手段が備えられた、薬液噴霧機を提供することを目的としている。
【課題を解決するための手段】
【０００６】
このような目的を達成するために、本発明の薬液噴霧機は、薬液タンク内に貯留された薬液を、薬液圧送ポンプにより、薬液送給ホース内を通して、該ホース先端に連結された薬液噴射ノズル管から噴射させる噴霧機において、
前記薬液タンク内にサブノズルを備えて、そのサブノズルと前記薬液送給ホースとをサブホースを介して連結し、前記薬液送給ホース内を通して薬液噴射ノズル管から噴射させる薬液の一部を、前記サブホース内を通して、サブノズルから薬液タンク内に貯留された薬液中に噴射させて、そのサブノズルから噴射させる薬液により薬液タンク内の薬液を撹拌する構造としたことを特徴としている。
【０００７】
このような構成の薬液噴霧機においては、薬液タンク内に貯留された薬液を、薬液圧送ポンプにより、薬液送給ホース内を通して、該ホース先端に連結された薬液噴射ノズル管から噴射させて、植物等に散布する際に、前記薬液送給ホース内を通して薬液噴射ノズル管から噴射させる薬液の一部を、サブホース内を通して、サブノズルから薬液タンク内に貯留された薬液中に噴射させることができる。そして、そのサブノズルから薬液中に噴射させる薬液の持つ押圧力を用いて、薬液タンク内の薬液を、薬液タンク内壁に激しく衝突させる等して撹拌し続けることができる。そして、その薬液タンク内の薬液中から薬剤が分離して、薬液タンク内底部に沈殿するのを、防ぐことができる。そして、薬液タンク内の薬液の散布作業を行う際に、その薬液タンク内の薬液中の薬剤の溶解濃度を常にほぼ均一に保持し続けることが可能となる。
【０００８】
本発明の薬液噴霧機においては、前記サブノズルから噴射させる薬液の量を調整する調整弁を備えると良い。
そして、薬液タンク内の薬液に展着剤等が添加されていて、その薬液タンク内の薬液を激しく撹拌すると、薬液から多量の泡沫が発生する場合等に、調整弁により、サブノズルから薬液タンク内の薬液中に噴射させる薬液の量を少量に制限すると良い。そして、薬液タンク内の薬液をサブノズルから噴射させる薬液により撹拌中に、その薬液タンク内の薬液から、薬液散布の妨げとなる、多量の泡沫が発生するのを、防ぐと良い。
【０００９】
本発明の薬液噴霧機においては、薬液タンク内に備えられたサブノズルを、着脱可能な構造とすると良い。
そして、サブノズルを、薬液タンク内から取り外して、薬液タンク外部に取り出すことができるようにするとよい。そして、そのサブノズルに薬液タンク内の薬液から分離して付着した薬剤等を、容易かつ的確に排除できるようにすると良い。そして、そのサブノズルのメンテナンスを容易かつ的確に行えるようにすると良い。
【発明の効果】
【００１０】
以上説明したように、本発明の薬液噴霧機によれば、薬液タンク内に貯留された薬液の散布作業を行う際に、薬液タンク内に備えられたサブノズルから噴射させる薬液の持つ押圧力を用いて、その薬液タンク内の薬液を撹拌し続けることができる。そして、その薬液タンク内の薬液中から薬剤が分離して、薬液タンク内底部に沈殿するのを、防ぐことができる。そして、その薬液タンク内の薬液中の薬剤の溶解濃度を常にほぼ均一に保持し続けることが可能となる。そして、その植物等に散布する薬液の効能や作用が落ちるのを、防ぐことができる。
【発明を実施するための最良の形態】
【００１１】
図１は本発明の薬液噴霧機の好適な実施の形態を示し、図１はその構造説明図である。以下に、この薬液噴霧機を説明する。
【００１２】
この薬液噴霧機は、従来汎用の噴霧機と同様に、蓋付きのプラスチック製等の大型の薬液タンク１０を備えていて、その薬液タンク１０内に貯留された薬液２０を、薬液圧送ポンプ３０により、薬液送給ホース４０内を通して、該ホース先端に連結された薬液噴射ノズル管５０から噴射させる構造をしている。薬液圧送ポンプ３０は、動力エンジン、電動モータ等により駆動させる構造をしている。なお、薬液圧送ポンプ３０には、手漕ぎ式のものを用いることも、可能である。
【００１３】
以上の構成に加えて、図１に示した噴霧機においては、薬液タンク１０内底部に、小型のサブノズル６０を、その先端を薬液タンク内底壁１０ａとほぼ平行な横方向に向けて、備えている。サブノズル６０は、薬液圧送ポンプ３０と薬液噴射ノズル管５０とを繋いでいる薬液送給ホース４０の中途部に、サブホース７０を介して連結している。そして、薬液送給ホース４０内を通して薬液噴射ノズル管５０から噴射させる薬液の一部を、薬液圧送ポンプ３０により、サブホース７０内を通して、サブノズル６０から薬液タンク内に貯留された薬液２０中に噴射させる構造をしている。そして、そのサブノズル６０から薬液２０中に噴射させる薬液の持つ押圧力を用いて、薬液タンク内の薬液２０を、薬液タンク内壁１０ｂに激しく衝突させる等して撹拌し続ける構造をしている。
そして、薬液タンク１０内に貯留された薬液２０の散布作業を行う際に、薬液タンク内の薬液２０を撹拌し続けて、その薬液タンク内の薬液２０中から薬剤が分離して、薬液タンク１０内底部に沈殿するのを、防ぐ構造をしている。そして、その植物等に散布する薬液タンク内の薬液２０中の薬剤の溶解濃度を常にほぼ均一に保持し続ける構造をしている。
【００１４】
この薬液噴霧機においては、図１に示したように、薬液送給ホース４０内からサブホース７０内を通してサブノズル６０から噴射させる薬液の量を調整する調整弁８０を備えると良い。調整弁８０には、市販の絞り弁を用いると良い。調整弁８０は、サブホース７０と薬液送給ホース４０との連結部に備えると良い。
そして、薬液タンク内の薬液２０に展着剤等が添加されていて、その薬液タンク内の薬液２０を激しく撹拌すると、その薬液２０中から多量の泡沫が発生する場合等に、調整弁８０により、薬液送給ホース４０内からサブホース７０内を通してサブノズル６０から噴射させる薬液の量を少量に制限すると良い。そして、そのサブノズル６０から噴射させる薬液により薬液タンク内の薬液２０を撹拌中に、その薬液タンク内の薬液２０から、薬液散布の妨げとなる、多量の泡沫が発生するのを、防ぐと良い。
【００１５】
この薬液噴霧機においては、薬液タンク１０内にサブノズル６０を、ねじ止め機構等を用いて、着脱可能に備えると良い。
そして、薬液タンク１０内に備えられたサブノズル６０を、薬液タンク１０内から容易かつ迅速に取り外して、薬液タンク１０外部に容易に取り出すことができるようにすると良い。そして、そのサブノズル６０に薬液タンク１０内の薬液２０中から分離して付着する薬剤等を容易かつ的確に排除できるようにすると良い。そして、そのサブノズル６０のメンテナンスを容易かつ的確に行えるようにすると良い。
【産業上の利用可能性】
【００１６】
本発明の薬液噴霧機は、栽培中の野菜、果実等の植物やその周辺の圃場等に消毒用、除草用、肥料用等の薬液を噴霧する薬液噴霧機であって、肩掛け式や、背負い式や、車輪の付いた手押し式や、動力車輪の付いた自走式などの様々のタイプの薬液噴霧機に広く利用可能である。
【図面の簡単な説明】
【００１７】
【図１】本発明の薬液噴霧機の構造説明図である。
【符号の説明】
【００１８】
１０  薬液タンク
２０  薬液
３０  薬液圧送ポンプ
４０  薬液送給ホース
５０  薬液噴射ノズル管
６０  サブノズル
７０  サブホース
８０  調整弁
【図１】
2007075692.tif 000003